(57)【要約】【課題】  圧電片と電力を圧電片に伝送する回路板に良好な電気的接続を形成させる圧電片の電極接続装置の提供。【解決手段】  第１電極（２１）を具えた圧電片（２０）と、該第１電極（２１）に対応する第２電極（１１）を具えると共に該圧電片（２０）の下方に位置する回路板（１０）とに電気的接続を構成させる圧電片の電極接続装置において、この電極接続装置（３０）が、少なくとも二つの相互に接続された接続面（３１１、３１２）がそれぞれ該第１電極（２１）及び該第２電極（１１）に電気的に接続される導電物品（３１）と、該導電物品（３１）に結合されると共に該圧電片（２０）と該回路板（１０）の間に位置する弾性体（３２）とを具えたことを特徴とする。【選択図】        図１
0003113273.tif 000002
【実用新案登録請求の範囲】
【請求項１】
第１電極（２１）を具えた圧電片（２０）と、該第１電極（２１）に対応する第２電極（１１）を具えると共に該圧電片（２０）の下方に位置する回路板（１０）とに電気的接続を構成させる圧電片の電極接続装置において、
この電極接続装置（３０）が、少なくとも二つの相互に接続された接続面（３１１、３１２）がそれぞれ該第１電極（２１）及び該第２電極（１１）に電気的に接続される導電物品（３１）と、該導電物品（３１）に結合されると共に該圧電片（２０）と該回路板（１０）の間に位置する弾性体（３２）とを具えたことを特徴とする、圧電片の電極接続装置。
【請求項２】
請求項１記載の圧電片の電極接続装置において、弾性体（３２）の表面に該導電物品（３１）、圧電片（２０）及び回路板（１０）の位置決めに用いられる接着面（３２１、３２２）が設けられたことを特徴とする、圧電片の電極接続装置。
【請求項３】
請求項２記載の圧電片の電極接続装置において、弾性体（３２）が導電物品（３１）の二つの接続面（３１１、３１２）の間に介装されたことを特徴とする、圧電片の電極接続装置。
【請求項４】
請求項１乃至３のいずれかに記載の圧電片の電極接続装置において、接続面（３１１、３１２）が接続凸点（３１３）を具えたことを特徴とする、圧電片の電極接続装置。
【考案の詳細な説明】
【技術分野】
【０００１】
本考案は圧電片の電極接続装置に係り、特に、圧電片と電力を圧電片に伝送する回路板に良好な電気的接続を形成させると共に、良好な振動エネルギー除去作用を有する圧電片の電極接続装置に関する。
【背景技術】
【０００２】
圧電片の電力接続構造設計に対して、本考案者は既に特許文献１−３を提出している。既存の技術中、圧電片の電力電極は個別に導電線材を半田付けする方式或いは導電弾性片を圧接する方式等の電極接続技術により回路板を電極と電気的に接続させて入力電力回路を構成している。圧電片の振動エネルギーの除去作用については、多くが圧電片下方と回路板の間に弾性体を設けて該圧電片の振動エネルギーを吸収している。以上の電極接続技術はいずれも弾性体が圧電片に対して垂直方向に配置される（電極接続構造が圧電片の側辺に位置し、弾性体が圧電体の下方に位置する）。上述の特許文献に記載の技術はいずれも制限力を提供して圧電片の振動による脱落を防止している。しかし、製造上、電極構造は半田付けによらねば有効に固定できず、製造上、面倒である。また特許文献４によると、収容ケース側辺に既に結合状態を完成した電極接続構造と弾性体が配置され、その後、圧電片が取り付けられる。しかし、圧電片は上下振動状態を採り、側辺に設置された弾性体が緩衝、振動吸収の効果を有するものの、その効果は有限であり、ゆえにこの技術を振動幅が比較的大きい圧電片に適用すると、圧電片が収容ケースに衝突して異音を発生する。
【０００３】
【特許文献１】台湾特許公告第５２７０６７号明細書
【特許文献２】台湾特許公告第Ｍ２５２１４９号明細書
【特許文献３】台湾特許公告第２５５６８９１号明細書
【特許文献４】台湾特許公告第２５５８０８６号明細書
【考案の開示】
【考案が解決しようとする課題】
【０００４】
本考案の主要な目的は、上述の欠点を解決し、欠点の存在を無くすことにあり、即ち、本考案は一種の圧電片の電極接続装置を提供することを目的とし、それは、圧電片と該圧電片の下方の回路板に電気的接続を形成させる電極接続装置である。該圧電片及び回路板には相互に対応する第１電極と第２電極が設けられている。本考案は、第１電極と第２電極に電気的に接続される少なくとも二つの相互に接続された接続面を具えた導電物品、及び、該圧電片と該回路板の間に位置する弾性体を具え、これにより簡易な製造、組立効果を達成すると共に、圧電片に導電物品により良好な電気的接続状態を獲得させ、また弾性体による良好な振動エネルギー除去作用を具備する。
【課題を解決するための手段】
【０００５】
請求項１の考案は、第１電極（２１）を具えた圧電片（２０）と、該第１電極（２１）に対応する第２電極（１１）を具えると共に該圧電片（２０）の下方に位置する回路板（１０）とに電気的接続を構成させる圧電片の電極接続装置において、
この電極接続装置（３０）が、少なくとも二つの相互に接続された接続面（３１１、３１２）がそれぞれ該第１電極（２１）及び該第２電極（１１）に電気的に接続される導電物品（３１）と、該導電物品（３１）に結合されると共に該圧電片（２０）と該回路板（１０）の間に位置する弾性体（３２）とを具えたことを特徴とする、圧電片の電極接続装置としている。
請求項２の考案は、請求項１記載の圧電片の電極接続装置において、弾性体（３２）の表面に該導電物品（３１）、圧電片（２０）及び回路板（１０）の位置決めに用いられる接着面（３２１、３２２）が設けられたことを特徴とする、圧電片の電極接続装置としている。
請求項３の考案は、請求項２記載の圧電片の電極接続装置において、弾性体（３２）が導電物品（３１）の二つの接続面（３１１、３１２）の間に介装されたことを特徴とする、圧電片の電極接続装置としている。
請求項４の考案は、請求項１乃至３のいずれかに記載の圧電片の電極接続装置において、接続面（３１１、３１２）が接続凸点（３１３）を具えたことを特徴とする、圧電片の電極接続装置としている。
【考案の効果】
【０００６】
本考案は圧電片と電力を圧電片に伝送する回路板に良好な電気的接続を形成させる圧電片の電極接続装置を提供している。
【考案を実施するための最良の形態】
【０００７】
図１から図３はそれぞれ本考案の構造分解図、外観立体図、及び組合せ断面図である。図示されるように、本考案は圧電片（２０）と圧電片（２０）の下方の回路板（１０）に電気的接続関係を構成させる電極接続装置（３０）である。圧電片（２０）及び回路板（１０）に相互に対応する第１電極（２１）と第２電極（１１）が設けられ、そのうち、電極接続装置（３０）は少なくとも二つの相互に接続された接続面（３１１、３１２）を具えて該接続面（３１１、３１２）が第１電極（２１）と第２電極（１１）に電気的に接続される導電物品（３１）、及び該導電物品（３１）に結合され並びに圧電片（２０）と回路板（１０）の間に位置する弾性体（３２）を包含する。該弾性体（３２）は該導電物品（３１）の二つの接続面（３１１、３１２）の間に介装され、該導電物品（３１）は図示されるように、コ形の導電片又は口形の導電片とされ、製造上便利とするため、弾性体（３２）の表面は接着面（３２１、３２２）とされて直接該導電物品（３１）、圧電片（２０）及び回路板（１０）を接着するのに用いられて圧電片（２０）と回路板（１０）の良好な電気的接続関係を確保し、且つその導電範囲を拡大できるものとされる。更に接着面（３２１、３２２）は導電ゴムが弾性体（３２）の表面に塗布されて構成され、電気的導通効果を補強する。このほか、圧電片（２０）が振動状態で、弾性体（３２）が接着面（３２１、３２２）の接着剤部分に一部脱落を発生して圧電片（２０）の電力接続に影響が生じるのを防止するため、図４に示されるように、導電物品（３１）の接続面（３１１、３１２）に接続凸点（３１３）設けられ、導電物品（３１）が確実に圧電片（２０）と回路板（１０）の第１電極（２１）及び第２電極（１１）に接触して良好な電気的接続状態を維持できるものとされる。
【０００８】
このほか、本考案はまた図５に示されるように、圧電片（２０）の上方に更に弾性体（４０）及び位置決め押し片（５０）を配置可能で、圧電片（２０）の入力電極端を例に挙げると、圧電片（２０）の下表面の第１電極（２１）以外の、別に上表面に設けられた第３電極（２２）が、導電線材（６０）或いは導電片で回路板（１０）に接続され、上述の電極接続装置（３０）と同様に設置可能で、即ち、該位置決め押し片（５０）上に回路板（１０）に接続される導電回路（図示せず）が設置されるが、これの達成する効果は前述の実施例と同じであるため、詳しく説明しない。
【０００９】
図３、５に明らかに示されるように、本考案は圧電片（２０）が弾性体（３２）により導電物品（３１）の圧電片（２０）と回路板（１０）に対する位置決めを達成し、これにより導電物品（３１）が圧電片（２０）と回路板（１０）の第１電極（２１）と第２電極（１１）との電気的接続を確実に保持し、弾性体（３２）により圧電片（２０）の発生する振動が吸収され、有効に圧電片（２０）の寿命と安定した電力出力を維持できる。
【００１０】
以上の実施例は本考案の実施範囲を限定するものではなく、本考案に基づきなしうる細部の修飾或いは改変は、いずれも本考案の請求範囲に属するものとする。
【図面の簡単な説明】
【００１１】
【図１】本考案の構造分解図である。
【図２】本考案の外観立体図である。
【図３】本考案の組合せ断面図である。
【図４】本考案の電極接続装置の別の使用例表示図である。
【図５】本考案の別の実施例表示図である。
【符号の説明】
【００１２】
（２０）圧電片
（１０）回路板
（１１）第２電極
（２１）第１電極
（２２）第３電極
（３０）電極接続装置
（３１）導電物品
（３１１、３１２）接続面
（３１３）接続凸点
（３２）弾性体
（３２１、３２２）接着面
（４０）弾性体
（５０）位置決め押し片
【図１】
0003113273.tif 000003
【図２】
0003113273.tif 000004
【図３】
0003113273.tif 000005
【図４】
0003113273.tif 000006
【図５】
0003113273.tif 000007